(57)【特許請求の範囲】
【請求項１】
連結部分により内部空間が連結された複数の管体を有し、一の前記管体に流入する気体が、前記連結部分において他の前記管体に分岐して流入する分岐管と、
前記管体とは形状が異なるアタッチメント管、および当該アタッチメント管を前記複数の管体のいずれかの接続管体に着脱可能に取り付けるための取付部を有するアタッチメント部と
を具備し、
前記アタッチメント管の内部空間と前記接続管体の内部空間とは、当該接続管体の開口端において連結され、
当該接続管体の前記開口端側の外面と、前記アタッチメント管の内面との間には間隙があり、
前記接続管体が形成する内部空間の前記開口端における断面は、前記アタッチメント管が形成する内部空間の当該開口端を含む断面より面積が小さい
ことを特徴とする管楽器。
【請求項２】
前記アタッチメント管は、前記接続管体の開口方向とは逆向きに開口した開口部を有する管形状であり、当該開口方向が閉塞部によって塞がれ、
前記接続管体からの気体を前記開口部から流出させるための流路が、当該接続管体の外面と前記アタッチメント管の内面との間に形成される
ことを特徴とする請求項１に記載の管楽器。
【請求項３】
前記取付部は、前記接続管体の外面と前記アタッチメント管の内面との間の領域の一部に前記流路が形成されるように、前記アタッチメント管の内面に設けられ、当該接続管体と当該アタッチメント管とに挟まれることにより、当該接続管体に当該アタッチメント管を取り付ける
ことを特徴とする請求項２に記載の管楽器。
【請求項４】
前記取付部は、管形状であり、一端側が前記接続管体と挿脱可能に構成され、他端側がアタッチメント管の閉塞部によって塞がれた部分と接続され、当該接続管体からの気体を前記流路に流出させるための流出口を有する
ことを特徴とする請求項２に記載の管楽器。
【請求項５】
前記取付部は、挿し込まれた前記接続管体が前記流出口を塞がないようにするためのストッパを有する
ことを特徴とする請求項４に記載の管楽器。
【請求項６】
前記閉塞部は、前記アタッチメント管と着脱可能に構成され、
前記アタッチメント管は、前記閉塞部を取り外すと、当該閉塞部が取り付けられていた位置に前記接続管体が挿入可能な挿入口が開口し、
前記取付部は、前記開口部が前記接続管体の開口方向を向いて開口するように当該接続管体が前記挿入口から挿入された状態で、前記アタッチメント管を当該接続管体に取り付ける
ことを特徴とする請求項２乃至請求項５のいずれかに記載の管楽器。
【請求項７】
前記閉塞部は、前記接続管体側に吸音材を有している
ことを特徴とする請求項２乃至請求項６のいずれかに記載の管楽器。
【請求項８】
前記アタッチメント管の内部空間は、当該アタッチメント管の外部空間とは前記接続管体の開口端においてのみ連結されている
ことを特徴とする請求項１に記載の管楽器。
【請求項９】
連結部分により内部空間が連結された複数の管体を有し、一の前記管体に流入する気体が、前記連結部分において他の前記管体に分岐して流入する分岐管に装着されるアタッチメントであって、
一端側が開口した開口部を有し、他端側が閉塞部によって塞がれたアタッチメント管と、
前記アタッチメント管の内面に設けられ、前記複数の管体のいずれかの接続管体に前記アタッチメント管を着脱可能に取り付けるための取付部と
を具備し、
前記アタッチメント管が前記接続管体に取り付けられた状態においては、
前記閉塞部は、当該接続管体の開口方向に位置し、
当該アタッチメント管の開口部は、当該開口方向とは逆向きに開口し、
前記取付部は、当該接続管体からの気体を当該開口部から流出させる流路を、当該接続管体の外面と当該アタッチメント管の内面との間の一部の領域に形成する
ことを特徴とするアタッチメント。
【請求項１０】
連結部分により内部空間が連結された複数の管体を有し、一の前記管体に流入する気体が、前記連結部分において他の前記管体に分岐して流入する分岐管に装着されるアタッチメントであって、
一端側が開口した開口部を有し、他端側が閉塞部によって塞がれたアタッチメント管と、
一端側が前記複数の管体のいずれかの接続管体と挿脱可能な管形状であり、他端側がアタッチメント管の閉塞部によって塞がれた部分と接続され、当該接続管体からの気体を流出させるための流出口を有する取付部と
を具備し、
前記アタッチメント管が前記接続管体に取り付けられた状態においては、
前記閉塞部は、当該接続管体の開口方向に位置し、
当該アタッチメント管の開口部は、当該開口方向とは逆向きに開口し、
前記流出口から流出する気体を当該開口部から流出させる流路が、当該接続管体の外面と当該アタッチメント管の内面との間に形成される
ことを特徴とするアタッチメント。
【請求項１１】
前記取付部は、挿し込まれた前記接続管体が前記流出口を塞がないようにするためのストッパを有する
ことを特徴とする請求項１０に記載のアタッチメント。
【請求項１２】
前記閉塞部は、前記アタッチメント管と着脱可能に構成され、
前記アタッチメント管は、前記閉塞部を取り外すと、当該閉塞部が取り付けられていた位置に前記接続管体が挿入可能な挿入口が開口し、
前記取付部は、前記開口部が前記接続管体の開口方向を向いて開口するように当該接続管体が前記挿入口から挿入された状態で、前記アタッチメント管を当該接続管体に取り付ける
ことを特徴とする請求項９乃至１１のいずれかに記載のアタッチメント。
【請求項１３】
前記閉塞部は、前記接続管体側に吸音材を有している
ことを特徴とする請求項９乃至請求項１２のいずれかに記載のアタッチメント。
【請求項１４】
連結部分により内部空間が連結された複数の管体を有し、一の前記管体に流入する気体が、前記連結部分において他の前記管体に分岐して流入する分岐管に装着されるアタッチメントであって、
前記複数の管体のいずれかの接続管体とは形状が異なるアタッチメント管と、
前記アタッチメント管を当該接続管体に着脱可能に取り付けるための取付部と
を具備し、
前記アタッチメント管が前記接続管体に取り付けられた状態においては、
当該アタッチメント管の内部空間は、当該アタッチメント管の外部空間とは当該接続管体の開口端においてのみ連結され、
当該接続管体が形成する内部空間の前記開口端における断面は、当該アタッチメント管が形成する内部空間の当該開口端を含む断面より面積が小さい
ことを特徴とするアタッチメント。
【発明の詳細な説明】
【技術分野】
【０００１】
本発明は、管楽器および分岐管に用いられるアタッチメントに関する。
【背景技術】
【０００２】
自然楽器における発音メカニズムをシミュレートして楽音を合成する技術が知られている。特許文献１においては、円錐面を有するテーパ管における共鳴特性を、分岐させた２種のストレート管により近似して再現する技術が開示されている。
【０００３】
図４４は、従来のテーパ管４５０を有する管楽器１Ｚの構造を説明する図である。図４５は、図４４に示すテーパ管４５０の共鳴特性を近似したストレート管４１０、４２０を有する管楽器１Ｙの構造を説明する図である。管楽器１Ｚは、テーパ管４５０を有する管体４００Ｚ、およびマウスピース５１Ｚを有する。管楽器１Ｙは、ストレート管４１０、４２０が分岐した構造の管体４００Ｙ、およびマウスピース５１Ｙを有する。ストレート管４１０、４２０の長さ、管の径を特許文献１に開示された技術を用いて設計すると、テーパ管４５０の共鳴特性を近似して再現することができる。
また、特許文献１において、ストレート管４２０の開口部分をテーパ形状（ベル管の形状）にすることにより、放射特性を自然楽器に近づけることも開示されている。
【先行技術文献】
【特許文献】
【０００４】
【特許文献１】特許第２７０７９１３号公報
【発明の概要】
【発明が解決しようとする課題】
【０００５】
特許文献１における技術においては、所望の共鳴特性を得るために適宜設計されたストレート管を分岐させた管体を用いて、管楽器を構成することができる。音量、音色、音の指向性などに影響を与える放射特性については、ベル管に相当する構成を設けることで自然楽器に近づけることができる一方、その放射特性に固定されてしまい、異なる放射特性で発音させて演奏したい場合には、それぞれの放射特性を再現した管楽器を所持する必要があった。
【０００６】
本発明は、複数の管体を組み合わせた分岐管による発音において、放射特性を様々に変化させることを目的とする。
【課題を解決するための手段】
【０００７】
上述の課題を解決するため、本発明は、連結部分により内部空間が連結された複数の管体を有し、一の前記管体に流入する気体が、前記連結部分において他の前記管体に分岐して流入する分岐管と、前記管体とは形状が異なるアタッチメント管、および当該アタッチメント管を前記複数の管体のいずれかの接続管体に着脱可能に取り付けるための取付部を有するアタッチメント部とを具備し、前記アタッチメント管の内部空間と前記接続管体の内部空間とは、当該接続管体の開口端において連結され、当該接続管体の前記開口端側の外面と、前記アタッチメント管の内面との間には間隙があり、前記接続管体が形成する内部空間の前記開口端における断面は、前記アタッチメント管が形成する内部空間の当該開口端を含む断面より面積が小さいことを特徴とする管楽器を提供する。
【０００８】
また、別の好ましい態様において、前記アタッチメント管は、前記接続管体の開口方向とは逆向きに開口した開口部を有する管形状であり、当該接続管体の開口方向が閉塞部によって塞がれ、前記接続管体からの気体を前記開口部から流出させるための流路が、当該接続管体の外面と前記アタッチメント管の内面との間に形成されることを特徴とする。
【０００９】
また、別の好ましい態様において、前記取付部は、前記接続管体の外面と前記アタッチメント管の内面との間の領域の一部に前記流路が形成されるように、前記アタッチメント管の内面に設けられ、当該接続管体と当該アタッチメント管とに挟まれることにより、当該接続管体に当該アタッチメント管を取り付けることを特徴とする。
【００１０】
また、別の好ましい態様において、前記取付部は、管形状であり、一端側が前記接続管体と挿脱可能に構成され、他端側がアタッチメント管の閉塞部によって塞がれた部分と接続され、当該接続管体からの気体を前記流路に流出させるための流出口を有することを特徴とする。
【００１１】
また、別の好ましい態様において、前記取付部は、挿し込まれた前記接続管体が前記流出口を塞がないようにするためのストッパを有することを特徴とする。
【００１２】
また、別の好ましい態様において、前記閉塞部は、前記アタッチメント管と着脱可能に構成され、前記アタッチメント管は、前記閉塞部を取り外すと、当該閉塞部が取り付けられていた位置に前記接続管体が挿入可能な挿入口が開口し、前記取付部は、前記開口部が前記接続管体の開口方向を向いて開口するように当該接続管体が前記挿入口から挿入された状態で、前記アタッチメント管を当該接続管体に取り付けることを特徴とする。
【００１３】
また、別の好ましい態様において、前記閉塞部は、前記接続管体側に吸音材を有していることを特徴とする。
【００１４】
また、別の好ましい態様において、前記アタッチメント管の内部空間は、当該アタッチメント管の外部空間とは前記接続管体の開口端においてのみ連結されていることを特徴とする。
【００１５】
また、本発明は連結部分により内部空間が連結された複数の管体を有し、一の前記管体に流入する気体が、前記連結部分において他の前記管体に分岐して流入する分岐管に装着されるアタッチメントであって、一端側が開口した開口部を有し、他端側が閉塞部によって塞がれたアタッチメント管と、前記アタッチメント管の内面に設けられ、前記複数の管体のいずれかの接続管体に前記アタッチメント管を着脱可能に取り付けるための取付部とを具備し、前記アタッチメント管が前記接続管体に取り付けられた状態においては、前記閉塞部は、当該接続管体の開口方向に位置し、当該アタッチメント管の開口部は、当該開口方向とは逆向きに開口し、当該接続管体からの気体を当該開口部から流出させる流路が、当該接続管体の外面と当該アタッチメント管の内面との間の一部の領域に形成されることを特徴とするアタッチメントを提供する。
【００１６】
また、本発明は連結部分により内部空間が連結された複数の管体を有し、一の前記管体に流入する気体が、前記連結部分において他の前記管体に分岐して流入する分岐管に装着されるアタッチメントであって、一端側が開口した開口部を有し、他端側が閉塞部によって塞がれたアタッチメント管と、一端側が前記複数の管体のいずれかの接続管体と挿脱可能な管形状であり、他端側がアタッチメント管の閉塞部によって塞がれた部分と接続され、当該接続管体からの気体を流出させるための流出口を有する取付部とを具備し、前記アタッチメント管が前記接続管体に取り付けられた状態においては、前記閉塞部は、当該接続管体の開口方向に位置し、当該アタッチメント管の開口部は、当該開口方向とは逆向きに開口し、前記流出口から流出する気体を当該開口部から流出させる流路が、当該接続管体の外面と当該アタッチメント管の内面との間に形成されることを特徴とするアタッチメントを提供する。
【００１７】
また、別の好ましい態様において、前記閉塞部は、前記アタッチメント管と着脱可能に構成され、前記アタッチメント管は、前記閉塞部を取り外すと、当該閉塞部が取り付けられていた位置に前記接続管体が挿入可能な挿入口が開口し、前記取付部は、前記開口部が前記接続管体の開口方向を向いて開口するように当該接続管体が前記挿入口から挿入された状態で、前記アタッチメント管を当該接続管体に取り付けることを特徴とする。
【００１８】
また、別の好ましい態様において、前記取付部は、挿し込まれた前記接続管体が前記流出口を塞がないようにするためのストッパを有することを特徴とする。
【００１９】
また、別の好ましい態様において、前記閉塞部は、前記接続管体側に吸音材を有していることを特徴とする。
【００２０】
また、本発明は連結部分により内部空間が連結された複数の管体を有し、一の前記管体に流入する気体が、前記連結部分において他の前記管体に分岐して流入する分岐管に装着されるアタッチメントであって、前記複数の管体のいずれかの接続管体とは形状が異なるアタッチメント管と、前記アタッチメント管を当該接続管体に着脱可能に取り付けるための取付部とを具備し、前記アタッチメント管が前記接続管体に取り付けられた状態においては、当該アタッチメント管の内部空間は、当該アタッチメント管の外部空間とは当該接続管体の開口端においてのみ連結され、当該接続管体が形成する内部空間の前記開口端における断面は、当該アタッチメント管が形成する内部空間の当該開口端を含む断面より面積が小さいことを特徴とするアタッチメントを提供する。
【発明の効果】
【００２１】
本発明によれば、複数の管体を組み合わせた分岐管による発音において、放射特性を様々に変化させることができる。
【図面の簡単な説明】
【００２２】
【図１】本発明の実施形態における管楽器の構成を説明する図である。
【図２】本発明の実施形態における分岐管楽器の構造を説明する図である。
【図３】本発明の実施形態における分岐管と音高調整管とが分離した状態の分岐管楽器を示す図である。
【図４】本発明の実施形態における分岐管の構造を説明する図である。
【図５】図４における矢視Ａ−Ａ方向から見た断面図である。
【図６】本発明の実施形態におけるアタッチメント部の構成を説明する図である。
【図７】図６における矢視Ｂ−Ｂ方向から見た断面図である。
【図８】図６における矢視Ｃ−Ｃ方向から見た断面図である。
【図９】下流側端部における主管部およびアタッチメント管の径を説明する図である。
【図１０】アタッチメント部における閉塞部を取り外した状態を説明する図である。
【図１１】図６とは異なる向きにアタッチメント部を装着した状態を説明する図である。
【図１２】図１１における矢視Ｄ−Ｄ方向から見た断面図である。
【図１３】変形例１におけるアタッチメント部の構成を説明する図である。
【図１４】図１３における矢視Ｅ−Ｅ方向から見た断面図である。
【図１５】変形例１における孔部が設けられているアタッチメント管の断面図である。
【図１６】変形例２におけるアタッチメント部の構成を説明する図である。
【図１７】変形例２における図１６とは異なる向きにアタッチメント部を装着した状態を説明する図である。
【図１８】変形例２における管取付部が図１６に示す構成と異なる場合のアタッチメント部の構成を説明する図である。
【図１９】図１８とは異なる向きにアタッチメント部を装着した状態を説明する図である。
【図２０】変形例３における管楽器の構成を説明する図である。
【図２１】変形例４における管楽器の構成を説明する図である。
【図２２】変形例４において木管楽器を用いた管楽器の構成を説明する図である。
【図２３】変形例５におけるアタッチメント部の構成を説明する図である。
【図２４】変形例６におけるアタッチメント部の構成を説明する図である。
【図２５】変形例７における分岐管の構造を説明する断面図である。
【図２６】変形例８における分岐管の構造を説明する断面図である。
【図２７】図２６とは別の構造の変形例８における分岐管の構造を説明する図である。
【図２８】変形例９における分岐管の構造を説明する断面図である。
【図２９】変形例１０における分岐管の構造を説明する断面図である。
【図３０】変形例１１における分岐管の構造を説明する断面図である。
【図３１】変形例１２における分岐管の構造を説明する断面図である。
【図３２】変形例１３における分岐管の構造を説明する断面図である。
【図３３】図３２における矢視Ｇ−Ｇ方向から見た断面図である。
【図３４】変形例１４における分岐管の構造を説明する断面図である。
【図３５】変形例１５における分岐管の構造を説明する断面図である。
【図３６】変形例１６における分岐管の構造を説明する断面図である。
【図３７】変形例１７における分岐管の構造を説明する断面図である。
【図３８】変形例１８における分岐管の構造を説明する断面図である。
【図３９】変形例２０における分岐管の構造を説明する断面図である。
【図４０】変形例２１における分岐管の構造を説明する断面図である。
【図４１】図４０における矢視Ｈ−Ｈ方向から見た断面図である。
【図４２】変形例２６における分岐管へのアタッチメント部の取り付け態様を説明する図である。
【図４３】変形例２６における分岐管へのアタッチメント部の取り付け態様が図４２とは異なる場合について説明する図である。
【図４４】従来のテーパ管を有する管楽器の構造を説明する図である。
【図４５】図４４に示すテーパ管の共鳴特性を近似したストレート管を有する従来の管楽器の構造を説明する図である。
【発明を実施するための形態】
【００２３】
＜実施形態＞
［全体構造］
図１は、本発明の実施形態における管楽器１０００の構成を説明する図である。管楽器１０００は、分岐管楽器１と、分岐管楽器１に着脱可能に取り付けられたアタッチメント部３０とを有する。分岐管楽器１は、この例においては、一般的なトランペットのベルを有するベル管部分が分岐管１００により置き換えられた構造をしている。分岐管楽器１における分岐管１００の開口部分にアタッチメント部３０が取り付けられることにより、分岐管楽器１としての放射特性から異なる放射特性へ変化する。アタッチメント部３０の分岐管楽器１への取り付け態様、取り付け位置、アタッチメント部３０の形状などにより、様々な放射特性を実現することができる。
以下、分岐管楽器１およびアタッチメント部３０の構成について説明をする。
【００２４】
［分岐管楽器１の構造］
図２は、本発明の実施形態における分岐管楽器１の構造を説明する図である。上述したように、分岐管楽器１は、一般的なトランペットのベルを有するベル管部分が分岐管１００により置き換えられた構造をしている。分岐管楽器１は、一般的なトランペット同様に、音高調整部４１およびマウスピース５１を有する音高調整管８１を有する。音高調整部４１は、操作されることにより迂回管への経由の有無を変化させて分岐管楽器１における管長を変化させるピストンバルブおよび迂回管を有する。音高調整部４１は、分岐管楽器１において共鳴する気柱の長さを調整する。また、演奏者によってマウスピース５１から吹き込まれる息は、矢印Ｆに示すように、分岐管１００の内部空間を流れる。以下に説明する各図において矢印Ｆは、演奏者によって吹き込まれた息が分岐管１００の内部空間を流れる方向を示すものとする。なお、マウスピース５１から吹き込まれる息は、演奏者によるものに限らず、機械的に吹き込まれた気体であってもよい。
【００２５】
［分岐管１００の構造］
分岐管１００は、内部空間が連結された３つの管体を有する。この例においては、３つの管体は、主管部１０、第１副管部２１および第２副管部２２であり、それぞれ、断面形状が円形のストレート管である。ストレート管は、管軸方向のどの位置においても管体の断面形状が変化しないように形成された管体であり、真っ直ぐな管体であってもよいし曲がった形状の管体であってもよい。そのため、ストレート管において、管軸方向を法線とする面で切った場合の開口面積（以下、単に断面積といった場合には、この開口面積をいう）は、管軸方向のどの位置においても変化しない。
【００２６】
主管部１０は、演奏者の息が吹き込まれる側（以下、上流側という）の端部（以下、上流側端部１５Ｕという）から息が抜ける側（以下、下流側という）の開口した端部（以下、下流側端部１５Ｌという）にわたった長さである。
第１副管部２１および第２副管部２２は、それぞれ主管部１０と内部空間が連結されている。第１副管部２１の内部空間が主管部１０の内部空間に連結されている位置は、第２副管部２２の内部空間が主管部１０の内部空間に連結されている位置より上流側である。
分岐管１００は、主管部１０の上流側端部１５Ｕ近傍に設けられた着脱部１８において、音高調整管８１と接続可能になっている。なお、分岐管１００と音高調整管８１とは、一体に構成されていてもよい。
【００２７】
図３は、本発明の実施形態における分岐管１００と音高調整管８１とが分離した状態の分岐管楽器１を示す図である。図３（ａ）は、分岐管１００が取り外された状態の分岐管楽器１における音高調整管８１を示す図である。図３（ｂ）は、分岐管１００が取り外された状態の分岐管楽器１における分岐管１００を示す図である。図３（ａ）に示すように、音高調整管８１は、分岐管１００が取り付けられる部分に、着脱部８５Ｌを有する。着脱部８５Ｌは、この例においては、分岐管１００の上流側端部１５Ｕ近傍の着脱部１８の管体内部に入り込むように構成されている。演奏者は、着脱部８５Ｌを分岐管１００の着脱部１８の管体内部に差し込み嵌合させることにより、分岐管１００を音高調整管８１に取り付ける。
【００２８】
図４は、本発明の実施形態における分岐管１００の構造を説明する図である。図５は、図４における矢視Ａ−Ａ方向から見た断面図である。図３に示す分岐管１００は、曲がった形状のストレート管であったが、図４、５の説明においては、真っ直ぐな形状のストレート管であるものとして説明する。分岐管１００の上流側端部１５Ｕ近傍において主管部１０よりも管体の内径が大きくなっている部分は、上述したように、着脱部１８である。主管部１０はストレート管であるから、図４に示すように、主管部１０の上流側の上流側端部１８Ｕの断面積（網目部分）は、下流側端部１５Ｌの開口面積（網目部分）と同じ面積である。この例においては、上流側端部１８Ｕおよび下流側端部１５Ｌのそれぞれが形成する開口面は、管軸を法線とする面であるものとする。
【００２９】
図５に示すように、主管部１０に流入する演奏者の息は、主管部１０と第１副管部２１との内部空間の連結部分である連結部分Ｐ１において第１副管部２１に分岐して流入し、また、主管部１０と第２副管部２２との内部空間の連結部分である連結部分Ｐ２において第２副管部２２に分岐して流入する。このように、分岐管１００には、演奏者に吹き込まれた息が分岐する部分として、連結部分Ｐ１、Ｐ２の２つが設けられている。
【００３０】
第１副管部２１は、下流側の端部２５１Ｌが開口している。また、第２副管部２２も、下流側の端部２５２Ｌが開口している。したがって、主管部１０の上流側端部１８Ｕから流入する演奏者の息は、主管部１０の下流側端部１５Ｌ、第１副管部２１の端部２５１Ｌ、および第２副管部２２の端部２５２Ｌから、外部に流出する。
【００３１】
上述した音高調整部４１は、分岐管１００が音高調整管８１に取り付けられた分岐管楽器１においては、この端部２５１Ｌ、２５２Ｌが開口した状態で、共鳴する気柱の長さを予め決められた長さに調整する。分岐管楽器１は、予め決められた長さに調整した気柱の共鳴により、特定の音階を構成する各音高で発音する。すなわち、音高調整部４１は、この端部２５１Ｌ、２５２Ｌが開口した状態で、予め決められた音階のいずれかの音高の発音をするように、共鳴する気柱の長さを調整する。したがって、演奏者は、分岐管楽器１を演奏するときには、端部２５１Ｌ、２５２Ｌを開口させた状態で、ピストンバルブを操作して演奏する。
【００３２】
分岐管１００は、第１副管部２１および第２副管部２２の主管部１０への連結位置（主管部１０の管軸方向）、第１副管部２１および第２副管部２２の形状（管長、内部空間の断面積）など、分岐管１００の形状に関するパラメータの内容に応じて、様々な共鳴特性を持つ。例えば、図５に示すように、第１副管部２１の管長（連結部分Ｐ１から端部２５１Ｌまでの長さ）は、第２副管部２２の管長（連結部分Ｐ２から端部２５２Ｌまでの長さ）よりも長くなるように構成すると、ベル管のベル形状のように、一部が円錐形状ではなく、一定の曲率を有する形状の管体であっても共鳴特性を再現することもできる。
【００３３】
また、トランペットのベル管を再現するのではなく、全く別の形状の管体を想定した共鳴特性を再現したい場合には、その管体の形状に応じて、第１副管部２１および第２副管部２２の主管部１０への連結位置、第１副管部２１および第２副管部２２の形状を設定した分岐管１００を、分岐管楽器１に用いればよい。これにより、様々な管楽器の音を再現することもできる。この場合には、下流側の第２副管部２２の管長が第１副管部２１の管長より短くなくてもよい。演奏者は、分岐管楽器１の分岐管１００を、再現される共鳴特性が異なる他の分岐管１００に交換して取り付けることにより、様々な音での演奏をすることもできる。
続いて、アタッチメント部３０の構造の例について説明する。
【００３４】
［アタッチメント部３０の構造］
図６は、本発明の実施形態におけるアタッチメント部３０の構成を説明する図である。図７は、図６における矢視Ｂ−Ｂ方向から見た断面図である。図８は、図６における矢視Ｃ−Ｃ方向から見た断面図である。以下、アタッチメント部３０の構成について、図６、図７、図８を用いて説明する。
【００３５】
アタッチメント部３０は、アタッチメント管３１、支持部３２、閉塞部３３、および複数の第１取付部３４を有する。
アタッチメント管３１は、主管部１０とは異なる形状のベル管の形状（テーパ管の形状であってもよい）の管体であり、両端のうち、管の径が大きい側が開口（開口部３１Ｌｐ）し、管の径が狭い側に支持部３２が接続されている。第１取付部３４は、コルク、ゴムなどの弾性部材で構成され、各々が互いに接触しないようにアタッチメント管３１の内面側に設けられている。
【００３６】
アタッチメント部３０が主管部１０に装着されるときには、第１取付部３４は、アタッチメント管３１と主管部１０とに挟まれることで、主管部１０を支持する。この状態において、アタッチメント管３１が主管部１０に取り付けられ、アタッチメント管３１と主管部１０との位置関係が固定される。このように、第１取付部３４は、アタッチメント管３１を主管部１０に着脱可能に取り付けるための部材となる。
【００３７】
支持部３２は、アタッチメント管３１と一端側で接続された管体とその内面側に第２取付部３６とを有している。第２取付部３６は、第１取付部３４と同様に、コルク、ゴムなどの弾性部材で構成されている。なお、第２取付部３６は、ウレタンなどの吸音部材で構成されていてもよい。
第２取付部３６は、支持部３２の管体部分と吸音部３５とに挟まれることで、吸音部３５を支持する。この状態において、閉塞部３３が支持部３２に取り付けられ、閉塞部３３と支持部３２との位置関係が固定される。このように、閉塞部３３は、支持部３２の第２取付部３６により、着脱可能に取り付けられる。
【００３８】
閉塞部３３は、吸音部３５を有している。支持部３２に取り付けられている状態においては、支持部３２の一端（アタッチメント管３１が接続されている端部と反対側の端部）と接続され、アタッチメント管３１の開口部３１Ｕｐを閉塞する形状に構成されている。これによりアタッチメント管３１は、開口部３１Ｌｐが位置する一方向にのみ開口することになる。
【００３９】
吸音部３５は、音を吸収する効果を有するウレタンなどの吸音部材で構成され、第２取付部３６により支持される部分については、その外形が主管部１０と同様の円柱形状になっている。この例においては、閉塞部３３が支持部３２に取り付けられている状態において、吸音部３５は、主管部１０の開口方向Ｄ１に位置して、アタッチメント管３１の管の径が狭い一端側の開口部（開口部３１Ｕｐ）を、第２取付部３６とともに塞ぐようになっている。主管部１０の開口方向Ｄ１に吸音部３５が位置することにより、主管部１０からの音波が吸音部３５において反射して、再び主管部１０に侵入する程度を抑えることができる。これにより、アタッチメント管３１の主管部１０への取り付け前後において、閉塞部３３からの反射音の分岐管１００に与える共鳴特性への影響が少なく、分岐管１００で発生する各倍音の周波数値がほとんど変化しない。
【００４０】
ここで、主管部１０の開口から出た音（以下、放出音という）の影響について説明する。放出音は、（１）吸音部３５において吸収されるもの、（２）吸音部３５を通り抜け、閉塞部３３における吸音部３５が取り付けられている管体部分の面（以下、閉塞部端という）で反射し再び吸音部３５を通り抜けて戻ってくる反射音（以下、通過反射音という）となるもの、（３）吸音部３５での反射音（以下、吸音面反射音という）となるものが考えられる。放出音、通過反射音、および吸音面反射音は、その経路差により干渉が生じて音色に癖がつくことがある。そのため、吸音部３５を主管部１０の下流側端部１５Ｌに近づけることにより、干渉の生じる周波数を高い方にずらし、干渉の影響を低減することもできる。例えば、８．５ｍｍまで近づけると、往復１７ｍｍとなり、これが半波長となる周波数１０ｋＨｚ以下には影響が無くなる。また、通過反射音の影響を減らすためには、吸音部３５の吸音部３５の厚さ（開口方向Ｄ１の長さ）を厚くし、通過反射音の放出音に対する割合を減らすことにより、干渉の影響を低減することもできる。
このように、閉塞部３３における吸音部３５の大きさ、下流側端部１５Ｌとの距離を適宜設計することにより、放出音、通過反射音、および吸音面反射音の干渉を減らして音色に癖をつきにくくしたり、音色に所望の癖をつけたりすることができる。
【００４１】
図７に示すように、アタッチメント管３１が主管部１０に取り付けられた状態においては、アタッチメント管３１の開口部３１Ｌｐは、主管部１０の開口方向Ｄ１とは逆向きに開口するようになっている。また、アタッチメント管３１の内部空間と主管部１０の内部空間とは、主管部１０の下流側端部１５Ｌにおいて連結されている。このとき、複数の第１取付部３４は、互いに接触しないように配置されているため、主管部１０の外面とアタッチメント管３１の内面との間の領域の一部には、演奏者によって吹き込まれる息の流路となる空間が形成される。このように、演奏者によって吹き込まれる息は、矢印Ｆに示すように流れ、アタッチメント管３１の開口部３１Ｌｐから外部に流出する。
【００４２】
図９は、下流側端部１５Ｌにおける主管部１０およびアタッチメント管３１の径を説明する図である。主管部１０の下流側端部１５Ｌにおける内径ｄ１は、下流側端部１５Ｌの位置におけるアタッチメント管３１の内径ｄ２より小さくなっている。すなわち、主管部１０の下流側端部１５Ｌの位置における内部空間の断面は、アタッチメント管３１の下流側端部１５の位置における内部空間の断面よりも面積が小さくなっている。このように、主管部１０と、アタッチメント管３１とは、下流側端部１５Ｌの位置において断面積が不連続になっている。そのため、アタッチメント管３１の取り付け前後において、アタッチメント管３１の分岐管１００に与える共鳴特性への影響が少なく、分岐管１００で発生する各倍音の周波数値は、ほとんど変化しない。一方、各倍音の大きさは、アタッチメント管３１の取り付け前後において、アタッチメント管３１の形状に応じた放射特性に応じて変化する。また、この例においては、アタッチメント管３１の開口部３１Ｌｐが演奏者側に向いて開口しているため、演奏者によって吹き込まれた息に応じて発音された音が、演奏者にとって聞き取りやすくなる。演奏者にとって聞き取りやすくすることにより、演奏の練習を行う場合などにおいて好適である。
【００４３】
［アタッチメント部３０Ａの構造］
図１０は、アタッチメント部３０における閉塞部３３を取り外した状態を説明する図である。図１０においては、主管部１０をアタッチメント管３１から取り外した状態を示しているため、主管部１０については記載していない。
閉塞部３３は、上述したように、吸音部３５における第２取付部３６により支持される部分の外形が円柱形状であり、支持部３２に着脱可能に支持されている。そのため、閉塞部３３は、この円柱が延在する方向（矢印Ｄ２の方向）に沿って引き抜かれることによって、図１０に示すように、アタッチメント管３１および支持部３２と分離される。これにより、アタッチメント管３１の開口部３１Ｕｐが開口した状態となる。以下の説明においては、アタッチメント部３０から閉塞部３３が分離された状態の構成を、アタッチメント部３０Ａという。
吸音部３５における円柱形状の部分は、主管部１０と外形が同様の形状である。そのため、吸音部３５が位置していた領域に形成される空間は、主管部１０についても挿入可能である。そのため、開口部３１Ｕｐは、主管部１０が挿入される挿入口としても用いることができる。
【００４４】
図１１は、図６とは異なる向きにアタッチメント部３０Ａを装着した状態を説明する図である。図１２は、図１１における矢視Ｄ−Ｄ方向から見た断面図である。
図１１、図１２に示す例においては、開口部３１Ｕｐに主管部１０が挿入されて、アタッチメント部３０Ａが主管部１０に装着された状態を示している。この状態においては、アタッチメント管３１の開口部３１Ｌｐは、主管部１０の開口方向Ｄ１と同じ方向に開口している。一方、アタッチメント管３１の開口部３１Ｕｐは、主管部１０により塞がれている。このように、タッチメント管３１の開口部３１Ｌｐが演奏者とは反対側を向いて開口しているため、演奏者によって吹き込まれた息に応じて発音された音が、演奏者の正面にいる聴取者にとって聞き取りやすくなる。
【００４５】
図１２（ａ）と図１２（ｂ）とは、主管部１０の挿入量が異なり、図１２（ｂ）に示す図は、図１２（ａ）に示す図よりも、主管部１０が深くまで挿入されている状態を示している。主管部１０は、図１２（ａ）に示す例においては、第２取付部３６により支持され、図１２（ｂ）に示す例においては、さらに第１取付部３４によっても支持されている。なお、吸音部３５が主管部１０より太くてもよく、この場合には、主管部１０を開口部３１Ｕｐに挿入しても、第２取付部３６が主管部１０に接触せずに主管部１０を支持できないことになるが、第１取付部３４が主管部１０を支持すればよい。
【００４６】
アタッチメント部３０Ａが主管部１０に装着されるときには、主管部１０の下流側端部１５Ｌがアタッチメント管３１の内部空間に位置するようになっていればよい。アタッチメント管３１の内部空間における下流側端部１５Ｌの位置によって、分岐管１００における発音に対して、アタッチメント管３１の放射特性の与える影響の程度が変化するため、音色を調整することもできる。
【００４７】
このように、本発明の実施形態におけるアタッチメント部３０は、分岐管１００の主管部１０に装着されると、分岐管１００における発音に対して、ベル管のような放射特性を付与して放音させることができる。この例においては、演奏者側において聞き取りやすくなるように取り付けられているが、閉塞部３３を取り外してアタッチメント部３０Ａとして用いることにより、演奏者側とは反対側にいる聴取者などに対して聞き取りやすくすることもできる。そのため、主管部１０へアタッチメント部３０を装着するときの向きによって、音の指向性を変化させることができる。また、アタッチメント管３１の内部空間における下流側端部１５Ｌの位置を調節することにより、音色を調整することもできる。
さらに、アタッチメント管３１の形状が異なるアタッチメント部を主管部１０へ装着すれば、その形状に応じた放射特性での発音が可能となるため、音量、音色、音の指向性などを様々に変化させることができる。
【００４８】
＜変形例＞
以上、本発明の実施形態およびその実施例について説明したが、本発明は以下のように、さまざまな態様で実施可能である。
【００４９】
［変形例１］
上述した実施形態においては、アタッチメント管３１の一端が大きく広がっている開口部３１Ｌｐを有する構成であったが、開口部３１Ｌｐを有しないものとし、閉じた形状であってもよい。この場合におけるアタッチメント部３０Ｂの構成について説明する。
【００５０】
図１３は、変形例１におけるアタッチメント部３０Ｂの構成を説明する図である。図１４は、図１３における矢視Ｅ−Ｅ方向から見た断面図である。
アタッチメント部３０Ｂは、円柱形状のアタッチメント管３１Ｂおよび支持部３２Ｂを有する。アタッチメント部３０Ｂは、実施形態におけるアタッチメント部３０Ａにおいて、アタッチメント管３１の形状が異なっている。アタッチメント管３１は、開口部３１Ｌｐを有していたが、この例においては、アタッチメント管３１Ｂは開口部３１Ｌｐを有していない。そのため、アタッチメント管３１Ｂの内部空間は、アタッチメント管３１Ｂの外部空間（主管部１０の内部空間）とは、主管部１０の下流側端部１５Ｌにおいてのみ連結されている。
このような状態においては、演奏者から吹きこまれた息がアタッチメント管３１Ｂからは外部に流出しないことになるが、分岐管１００は、主管部１０以外にも第１副管部２１、第２副管部２２においても開口しているため、その部分から息を流出させることができる。なお、アタッチメント管３１Ｂの一部に孔部が設けられていてもよい。
【００５１】
図１５は、変形例１における孔部３１Ｃｈが設けられているアタッチメント管３１Ｃの断面図である。この例におけるアタッチメント管３１Ｃは、上述のアタッチメント管３１Ｂにおいて、演奏者から吹きこまれた息を外部に流出させるための孔部３１Ｃｈが設けられた構成になっている。
このようなアタッチメント部３０Ｂ、３０Ｃを主管部１０に装着することにより、一般的な金管楽器に弱音器（ミュート）を用いた場合のように、分岐管１００の発音を弱音化することができる。
【００５２】
［変形例２］
上述した実施形態において、アタッチメント部３０が主管部１０に装着されるときには、第１取付部３４が主管部１０を支持していたが、別の構成により支持してもよい。この例においては、主管部１０と挿脱可能な管形状の管取付部により、主管部１０を支持する構成について説明する。
【００５３】
図１６は、変形例２におけるアタッチメント部３０Ｄの構成を説明する図である。アタッチメント部３０Ｄは、実施形態におけるアタッチメント部３０の第１取付部３４を有していない代わりに、管形状の管取付部３７を有している。管取付部３７は、内径が主管部１０の外径よりわずかに大きく形成され、内部空間に主管部１０が挿入できるように構成されている。このように、管取付部３７は、一端側が主管部１０と挿脱可能に構成され、主管部１０が挿入されることで主管部１０を支持する。一方、管取付部３７の他端側は、第２取付部３６に支持され、内部空間には吸音部３５が挿入されている。
【００５４】
管取付部３７の略中央部分には、複数の流出口３７ｈ（単数でもよい）が設けられている。この流出口３７ｈにより、主管部１０の内部空間とアタッチメント管３１の内部空間とが連結されている。したがって、演奏者により吹き込まれる息は、流出口３７ｈを通過してアタッチメント管３１の内部空間に流出（矢印Ｆ）し、アタッチメント管３１の開口部３１Ｌｐから外部に流出する。
この例においては、主管部１０が管取付部３７に挿入されたときに、主管部１０が流出口３７ｈを塞いでしまわないように、ストッパ３７ｓ１が設けられている。
【００５５】
アタッチメント部３０Ｄは、実施形態におけるアタッチメント部３０と同様に、閉塞部３３を取り外し、吸音部３５が位置していた領域に形成される空間（管取付部３７の内部空間）に主管部１０を挿入することにより開口部３１Ｌｐの向きを変更することができる。以下の説明において、アタッチメント部３０Ｄから閉塞部３３が分離された状態の構成を、アタッチメント部３０Ｅという。
【００５６】
図１７は、変形例２における図１６とは異なる向きにアタッチメント部３０Ｅを装着した状態を説明する図である。図１７に示すように、主管部１０が管取付部３７に挿入されたときに、主管部１０が流出口３７ｈを塞いでしまわないように、ストッパ３７ｓ２が設けられている。
なお、上述した流出口３７ｈを主管部１０が塞がないようにするために設けられたストッパ３７ｓ１、３７ｓ２は、設けられていなくてもよいし、別の態様により設けられていてもよい。例えば、管取付部３７における管の径を、流出口３７ｈにおける両側で異ならせることにより流出口３７ｈが塞がれないようにしてもよい。
【００５７】
図１８は、変形例２における管取付部３７が図１６に示す構成と異なる場合のアタッチメント部３０Ｆの構成を説明する図である。図１９は、図１８とは異なる向きにアタッチメント部３０Ｇを装着した状態を説明する図である。
なお、アタッチメント部３０Ｇは、アタッチメント部３０Ｆから閉塞部３３が分離された状態の構成をいう。
【００５８】
図１８に示すように、管取付部３７Ｆは、流出口３７Ｆｈが位置する管取付部３７Ｆ２、その両側に位置する管取付部３７Ｆ１、３７Ｆ３はそれぞれ、管の径が異なっている。管取付部３７Ｆ１の径は、上述の管取付部３７と同様の径である。管取付部３７Ｆ２の径は、管取付部３７Ｆ１の径より小さく、管取付部３７Ｆ３の径は、さらに小さい。管取付部３７Ｆ３は、その外径が主管部１０の内径よりもわずかに小さく、主管部１０の内部空間に挿入されることで主管部１０を支持する。このとき、管取付部３７Ｆ２と管取付部３７Ｆ３との管の径（外径）の違いが、主管部１０によって流出口３７ｈが塞がれないようにするためのストッパとなっている。
一方、図１９に示すように、主管部１０が管取付部３７Ｆ１に挿入されている場合には、管取付部３７Ｆ１と管取付部３７Ｆ２との管の径（内径）の違いが、主管部１０によって流出口３７Ｆｈが塞がれないようにするためのストッパとなっている。
このように、主管部１０によって流出口３７Ｆｈが塞がれないようにするためのストッパは様々な態様で実現可能である。
なお、図１８、図１９に示す例においては、管取付部３７Ｆ３は、管取付部３７Ｆ２より内径および外径が小さくなっていたが、管取付部３７Ｆ１と同様に、内径および外径が大きくなっていてもよい。また、取付部３７Ｆ１は、管取付部３７Ｆ２より内径および外径が大きくなっていたが、管取付部３７Ｆ３と同様に、内径および外径が小さくなっていてもよい。
【００５９】
［変形例３］
上述した実施形態において、分岐管楽器１は、一般的なトランペットのベルを有するベル管部分が分岐管１００により置き換えられた構造をしていたが、トランペット以外、例えば、トロンボーンであってもよい。この場合の分岐管楽器１Ａを用いた管楽器１０００Ａについて、図２０を用いて説明する。
【００６０】
図２０は、変形例３における管楽器１０００Ａの構成を説明する図である。管楽器１０００Ａは、分岐管楽器１Ａと、分岐管楽器１Ａに着脱可能に取り付けられたアタッチメント部３０とを有する。分岐管楽器１Ａは、一般的なトロンボーンのベルを有するベル管部分が、主管部１０Ａ、第１副管部２１Ａおよび第２副管部２２Ａを有する分岐管１００Ａにより置き換えられた構造をしている。そして、アタッチメント部３０は、主管部１０Ａの下流側に装着されている。
このように、分岐管楽器は、トランペット、トロンボーンなどの金管楽器のベル管部分が分岐管により置き換えられたものであればよい。
【００６１】
［変形例４］
上述した実施形態においては、アタッチメント部３０は、主管部１０に装着されていたが、第１副管部２１または第２副管部２２に装着されてもよい。すなわち、アタッチメント部３０が装着される管体（接続管体）は、分岐管１００を構成するいずれの管体であってもよい。
【００６２】
図２１は、変形例４における管楽器１０００Ｂの構成を説明する図である。管楽器１０００Ａは、分岐管楽器１Ｂと、分岐管楽器１Ｂに着脱可能に取り付けられたアタッチメント部３０とを有する。分岐管楽器１Ｂにおける分岐管１００Ｂは、主管部１０Ｂ、第１副管部２１Ｂおよび第２副管部２２Ｂを有している。第１副管部２１Ｂは、下流側が主管部１０Ｂの下流側の方向（演奏者から離れる方向）に曲がり、その下流側の部分にアタッチメント部３０が装着されている。この例においては、第１副管部２１Ｂが演奏者から離れる方向に曲がっているため、アタッチメント部３０が装着されたときにアタッチメント管３１は、演奏者の方向に開口することになる。第１副管部２１Ｂが演奏者側に曲がっている場合には、アタッチメント部３０Ａを装着することにより演奏者側にアタッチメント管３１が開口することになる。
【００６３】
また、分岐管楽器が主管部に音孔を有する木管楽器である場合には、音孔よりも下流側においてアタッチメント部３０を装着することの効果がほとんど無いため、副管部に装着することが望ましい。
【００６４】
図２２は、変形例４において、木管楽器を用いた管楽器１０００Ｃの構成を説明する図である。管楽器１０００Ｃは、木管楽器を用いた分岐管楽器１Ｃと、分岐管楽器１Ｃに着脱可能に取り付けられたアタッチメント部３０とを有する。分岐管楽器１Ｃにおける分岐管１００Ｃは、マウスピース５１Ｃ、第１主管部１０Ｃ１、第２主管部１０Ｃ２および第１副管部２１Ｃを有している。第２主管部１０Ｃ２は、一般的なフルートのうち、マウスピース部分を取り外し、音孔の開閉により音高を調整する音高調整部４１Ｃを有する管体に対応する。第１主管部１０Ｃ１は、第２主管部１０Ｃ２のマウスピースが位置していた側に接続されている。第１主管部１０Ｃ１および第２主管部１０Ｃ２により分岐管１００Ｃの主管部１０Ｃを構成する。マウスピース５１Ｃは、一般的なサックスなどにおいて用いられるマウスピースである。主管部１０Ｃのうち、音高調整部４１Ｃの音孔よりも上流側において分岐する第１副管部２１Ｃには、アタッチメント部３０が装着されている。
このように、アタッチメント部３０は、木管楽器を用いた分岐管楽器１Ｃにおいても取り付けることができる。
なお、図４５に示す従来例として示した構成であっても、ストレート管４２０にアタッチメント部３０を装着することは可能である。
【００６５】
［変形例５］
上述した実施形態においては、アタッチメント部３０における閉塞部３３を取り外してアタッチメント部３０Ａとすることにより、アタッチメント管３１の開口部３１Ｌｐが主管部１０の開口方向と同じ方向を向いて開口するようにしたり、逆方向を向いて開口するようにしたりすることができたが、双方に対応せず、いずれか一方向のみに開口するように構成してもよい。
【００６６】
図２３は、変形例５におけるアタッチメント部３０Ｈの構成を説明する図である。アタッチメント部３０Ｈは、実施形態におけるアタッチメント部３０の支持部３２がなく、また閉塞部３３に代えてこれを分離できない閉塞部３３Ｈとなっている。閉塞部３３Ｈは、アタッチメント管３１と接続され、内部に吸音部３５Ｈを有している。
このように、アタッチメント部は、アタッチメント管３１の開口部３１Ｌｐが主管部１０の開口方向とは逆方向にのみ開口するようになっていてもよい。
【００６７】
［変形例６］
上述した実施形態においては、アタッチメント管３１は、ベル形状、テーパ形状など一方向に広がった形状になっていたが、イングリッシュホルンの先端部のように、一部分が膨らんだ形状になっていてもよい。
【００６８】
図２４は、変形例６におけるアタッチメント部３０Ｊの構成を説明する図である。アタッチメント部３０Ｊは、実施形態におけるアタッチメント部３０のアタッチメント管３１とは形状が異なるアタッチメント管３１Ｊを有する。アタッチメント管３１Ｊは、中央部分が大きく膨らみ、開口部３１Ｌｐに向けて窄まっている。なお、第１取付部３４Ｊについても、アタッチメント管３１Ｊの形状に応じて、実施形態における第１取付部３４とは形状が異なっている。
このような形状のアタッチメント管３１Ｊを有するアタッチメント部３０Ｊを主管部１０に装着することにより、一方向に広がった形状のアタッチメント管である場合とは異なった音色での発音をさせることもできる。
【００６９】
［変形例７］
上述した実施形態においては、連結部分Ｐ１は、連結部分Ｐ２より上流側であったが、主管部１０の開口端部から管軸方向に沿った距離が概ね一致した位置に設けられていてもよい。
【００７０】
図２５は、変形例７における分岐管１００ａの構造を説明する断面図である。分岐管１００ａは、主管部１０ａ、主管部１０ａと内部空間が連結部分Ｐ１で連結された第１副管部２１ａ、および主管部１０ａと内部空間が連結部分Ｐ２で連結された第２副管部２２ａを有する。連結部分Ｐ１、Ｐ２は、主管部１０ａの開口端部から管軸方向に沿った距離が同じ位置であり、互いに対向した位置に設けられている。このように、第１副管部と第２副管部との位置関係は、上流、下流の位置関係でなくても、様々な位置関係にすることができる。
【００７１】
［変形例８］
上述した実施形態においては、主管部１０に連結される管体は、第１副管部２１および第２副管部２２の２つの管体であり、３つの管体から分岐管１００が構成されていたが、さらに多くの管体が連結されてもよい。３つの管体が主管部１０ｂに連結され、４つの管体から分岐管１００ｂが構成されている例を図２６に示す。
【００７２】
図２６は、変形例８における分岐管１００ｂの構造を説明する断面図である。分岐管１００ｂは、主管部１０ｂ、主管部１０ｂと内部空間が連結部分Ｐ１で連結された第１副管部２１ｂ、主管部１０ｂと内部空間が連結部分Ｐ２で連結された第２副管部２２ｂ、および主管部１０ｂと内部空間が連結部分Ｐ３で連結された第３副管部２３ｂを有する。このように、分岐管は、４つ以上の管体が連結され、演奏者が吹き込んだ息が分岐する連結部分を３つ以上有していてもよい。
また、変形例８における構成を変形例７に示す例のようにして、３つ以上の連結部分が主管部１０ｂの開口端部から管軸方向に沿った距離が同じ位置に設けられていてもよい。この場合の構成について図２６を用いて説明する。
【００７３】
図２７は、図２６とは別の構造の変形例８における分岐管１００ｃの構造を説明する図である。分岐管１００ｃにおける第１副管部２１ｃ、第２副管部２２ｃおよび第３副管部２３ｃは、主管部１０ｃの開口端部から管軸方向に沿った距離が同じ位置が連結部分となるように設けられている。このように、一の管体に連結される管体が３つ以上であっても、これらの管体の位置関係は、様々な位置関係にすることができる。
【００７４】
［変形例９］
上述した実施形態においては、主管部１０に第１副管部２１および第２副管部２２が連結され、連結部分Ｐ１、Ｐ２が主管部１０の側面に設けられていたが、２つの連結部分Ｐ１、Ｐ２が別々の管体の側面に設けられていてもよい。
【００７５】
図２８は、変形例９における分岐管１００ｄの構造を説明する断面図である。分岐管１００ｄは、主管部１０ｄ、主管部１０ｄ側面の連結部分Ｐ１で内部空間が連結された第１副管部２１ｄ、および第１副管部２１ｄ側面の連結部分Ｐ２で内部空間が連結された第１副副管部２４ｄを有する。このように、主管部１０ｄに流入する演奏者の息が分岐して第１副管部２１ｄに流入し、第１副管部２１ｄに流入した演奏者の息が分岐して第１副副管部３１ｄに流入するように、それぞれの管体が連結されていてもよい。
【００７６】
［変形例１０］
上述した実施形態においては、第１副管部２１及び第２副管部２２は真っ直ぐなストレート管であったが、曲がったストレート管であってもよい。
【００７７】
図２９は、変形例１０における分岐管１００ｅの構造を説明する断面図である。分岐管１００ｅは、主管部１０ｅ、主管部１０ｅと内部空間が連結部分Ｐ１で連結された第１副管部２１ｅ、および主管部１０ｅと内部空間が連結部分Ｐ２で連結された第２副管部２２ｅを有する。この例においては、第１副管部２１ｅおよび第２副管部２２ｅともに、分岐して流入した息が主管部１０ｅの下流側の方向に流れるように、主管部１０ｅの管軸方向に沿って曲がっている。なお、第１副管部２１ｅおよび第２副管部２２ｅは、図２９に示す方向とは反対方向、または主管部１０ｅの管軸方向に沿わない方向に曲がっていてもよく、互いに異なる方向に曲がっていてもよい。曲がっている箇所は第１副管部２１ｅおよび第２副管部２２ｅの主管部１０ｅとの連結部分近傍からだけでなく、管体の途中部分であってもよい。曲がっている箇所は複数であってもよいし、管体が螺旋状になるように曲がっていてもよい。
【００７８】
なお、分岐管１００ｅにおいて、主管部１０ｅは、第１副管部２１ｅおよび第２副管部２２ｅと同様に、様々な形状に曲がっていてもよい。また、主管部１０ｅが曲がった形状であり、第１副管部２１ｅおよび第２副管部２２ｅが真っ直ぐな形状であってもよい。
【００７９】
［変形例１１］
上述した変形例３においては、第１副管部２１ｄに流入した演奏者の息は、第１副管部２１ｄを流れる方向はそのままに、第１副副管部２４ｄへ分岐した息の流れる方向だけが変わっていたが、分岐した双方の息の流れる方向が変わるようにしてもよい。
【００８０】
図３０は、変形例１１における分岐管１００ｆの構造を説明する断面図である。分岐管１００ｆは、主管部１０ｆ、主管部１０ｆと内部空間が連結部分Ｐ１で連結された第１副管部２１ｆ、および第１副管部２１ｆと内部空間が連結部分Ｐ２で連結された第１副副管部２４ｆを有する。図３０に示すように、主管部１０ｆに流入した演奏者の息が連結部分Ｐ１において垂直方向に分岐して第１副管部２１ｆに流入する。第１副管部２１ｆに流入した演奏者の息は、さらに連結部分Ｐ２において垂直方向に分岐して第１副副管部２４ｆに流入する。この連結部分Ｐ２における分岐後の第１副管部２１ｆに流入した息は、第１副副管部３１に流入した演奏者の息の方向とは逆の方向になっている。このように、分岐元の管体（この例においては第１副管部２１ｆ）が分岐先の管体（この例においては第１副副管部３１ｆ）との連結部分において流入する息の向きを変えるように曲がっていてもよい。この例を、実施形態における分岐管１００に適用すると、例えば、主管部１０が第１副管部２１との連結部分において曲がった形状にすればよい。
【００８１】
［変形例１２］
上述した実施形態においては、第１副管部２１の内部空間は、主管部１０とは独立した管体により構成されていたが、主管部１０の一部とともに構成されていてもよい。
【００８２】
図３１は、変形例１２における分岐管１００ｇの構造を説明する断面図である。分岐管１００ｇは、主管部１０ｇ、主管部１０ｇと内部空間が連結部分Ｐ１で連結された第１副管部２１ｇ、および主管部１０ｇと内部空間が連結部分Ｐ２で連結された第２副管部２２ｇを有する。図３１に示すように、第１副管部２１ｇの内部空間は、第１副管部２１ｇの管体と主管部１０ｇの管体の一部により構成されている。この例においては、第１副管部２１ｇは、主管部１０ｇの管軸方向からみて主管部１０ｇのある角度範囲を覆い、第１副管部２１ｇの内部空間は、主管部１０ｇの表面形状に沿った形状になっている。
なお、第２副管部２２ｇについても、第１副管部２１ｇと同様に構成してもよい。
【００８３】
［変形例１３］
上述した変形例１２における第１副管部２１ｇが主管部１０ｇの周囲を覆うように構成されていてもよい。
【００８４】
図３２は、変形例１３における分岐管１００ｈの構造を説明する断面図である。分岐管１００ｈは、主管部１０ｈ、主管部１０ｈと内部空間が連結部分Ｐ１で連結された第１副管部２１ｈ、および主管部１０ｈと内部空間が連結部分Ｐ２で連結された第２副管部２２ｈを有する。第１副管部２１ｈは、主管部１０ｈの一部を覆う形状になっている。この例においては、第１副管部２１ｈは、主管部１０ｈの管軸方向からみて主管部１０ｈの周囲全体を覆い、第１副管部２１ｈの内部空間は、主管部１０ｈの表面形状に沿った形状になっている。
【００８５】
主管部１０ｈは、互いに分離した第１主管部１０ｈ１と第２主管部１０ｈ２とにより構成され、第１主管部１０ｈ１と第２主管部１０ｈ２との間に構成される連結部分Ｐ１において、主管部１０ｈに流入する演奏者の息が分岐して第１副管部２１ｈに流入する。第１副管部２１ｈは、第１主管部１０ｈ１と接続されている。また、第１副管部２１ｈは、内部空間に設けられた支柱を介して第２主管部１０ｈ２と接続されている。
【００８６】
図３３は、図３２における矢視Ｇ−Ｇ方向から見た断面図である。図３３に示すように、第２主管部１０ｈ２とその周囲を覆う第１副管部２１ｈとの間に支柱１０ｈ３が設けられている。このように、第１主管部１０ｈ１と第２主管部１０ｈ２とは、この支柱１０ｈ３および第１副管部２１ｈを介して接続され、互いに支持する関係となる。
なお、支柱１０ｈ３とともに、または支柱１０ｈ３に代えて、第１主管部１０ｈ１と第２主管部１０ｈ２とを接続する支柱を有していてもよい。
【００８７】
［変形例１４］
上述した変形例１１における第１副管部２１ｆおよび第１副副管部３１ｆを、変形例１３に示すように主管部を覆うように構成してもよい。
【００８８】
図３４は、変形例１４における分岐管１００ｋの構造を説明する断面図である。分岐管１００ｋは、主管部１０ｋ、主管部１０ｋと内部空間が連結部分Ｐ１で連結された第１副管部２１ｋ、および第１副管部２１ｋと内部空間が連結部分Ｐ２で連結された第１副副管部２４ｋを有する。第１副管部２１ｋと第１副副管部２４ｋとが連結された管体が、主管部１０ｋを覆っている。主管部１０ｋは、互いに分離した第１主管部１０ｋ１および第２主管部１０ｋ２により構成されている。この例においては、第１副管部２１ｋは、第２主管部１０ｋ２の一部を覆う形状になっている。一方、第１副副管部２４ｋは、第１主管部１０ｋ１の一部を覆う形状になっている。
【００８９】
第１主管部１０ｋ１と第２主管部１０ｋ２との間に構成される連結部分Ｐ１において、主管部１０ｋに流入する演奏者の息が分岐して第１副管部２１ｋに流入する。また、第１副管部２１ｋと第１副副管部２４ｋとの連結部分Ｐ２において、第１副管部２１ｋに流入する演奏者の息が分岐して第１副副管部２４ｋに流入する。
なお、第１副管部２１ｋと第１副副管部２４ｋとが連結された管体と主管部１０ｋとは、変形例１３における図３３に説明したように、支柱により接続されている。
【００９０】
［変形例１５］
上述した実施形態においては、主管部１０の側面に他の管体の連結部分Ｐ１、Ｐ２が設けられていたが、主管部１０の内部空間に連結部分が設けられるようにしてもよい。
【００９１】
図３５は、変形例１５における分岐管１００ｍの構造を説明する断面図である。分岐管１００ｍは、互いに分離した第１主管部１０ｍ１と第２主管部１０ｍ２とにより構成された主管部１０ｍ、第１主管部１０ｍ１に接続され、第２主管部１０ｍ２との間に形成される内部空間が第１主管部１０ｍ１の内部空間と連結部分Ｐ１で連結された第１副管部２１ｍ、および第２主管部１０ｍ２と内部空間が連結部分Ｐ２で連結された第２副管部２２ｍを有する。第２主管部１０ｍ２は、第１主管部１０ｍ１と第１副管部２１ｍとで構成される管体の内部空間に挿入されている。
この場合、主管部１０ｍに流入する演奏者の息は、連結部分Ｐ１において分岐して第１副管部２１ｍと第２主管部１０ｍ２に流入する。なお、第１副管部２１ｍと主管部１０ｍとは、変形例１３における図３３に説明したように、支柱により接続されている。
【００９２】
［変形例１６］
上述した実施形態においては、第１副管部２１および第２副管部２２は、ストレート管であったが、テーパ管であってもよいし、ベル形状のように一定の曲率を有した管体であってもよいし、その他の形状の管体であってもよい。また、ストレート管とテーパ管などを組み合わせた管体であってもよいし、他の形状の管体であってもよい。第１副管部２１および第２副管部２２がテーパ管である場合について、図３６を用いて説明する。
【００９３】
図３６は、変形例１６における分岐管１００ｎの構造を説明する断面図である。分岐管１００ｎは、主管部１０ｎ、主管部１０ｎと内部空間が連結部分Ｐ１で連結された第１副管部２１ｎ、および主管部１０ｎと内部空間が連結部分Ｐ２で連結された第２副管部２２ｎを有する。この例においては、第１副管部２１ｎは、テーパ管であり、開口している下流側の端部２５１ｎＬに近くなるほど断面積が広がっている。以下、このように下流側で断面積が広がるテーパ管を順テーパ管という。一方、第２副管部２２ｎは、テーパ管であり、開口している下流側の端部２５２ｎＬに近くなるほど断面積が狭くなっている。以下、このように下流側で断面積が狭くなるテーパ管を逆テーパ管という。
この例においては、第１副管部２１ｎは順テーパ管、第２副管部２２ｎは逆テーパ管であったが、これらは逆の関係であってもよいし、それぞれが順テーパ管であってもよいし、逆テーパ管であってもよい。また、テーパ管の傾斜の程度を示すテーパ率がそれぞれの管体で異なっていてもよい。
【００９４】
また、主管部１０ｎについても、第１副管部２１ｎおよび第２副管部２２ｎと同様に、テーパ管であってもよいし、ベル形状のように一定の曲率を有した管体であってもよいし、その他の形状の管体であってもよい。また、上流側端部１８ｎＵから連結部分Ｐ１までの管体１０ｎ１、連結部分Ｐ１から連結部分Ｐ２までの管体１０ｎ２、および連結部分Ｐ２から下流側端部１５ｎＬまでの管体１０ｎ３がそれぞれ、ストレート管、順テーパ管または逆テーパ管のいずれかにより形成されていてもよい。例えば、管体１０ｎ１が順テーパ管であり、管体１０ｎ２がストレート管、管体１０ｎ３が逆テーパ管で形成されていてもよい。
【００９５】
［変形例１７］
上述した実施形態において、分岐管１００の一部に開口部が設けられていてもよい。
【００９６】
図３７は、変形例１７における分岐管１００ｑの構造を説明する断面図である。分岐管１００ｑは、主管部１０ｑ、主管部１０ｑと内部空間が連結部分Ｐ１で連結された第１副管部２１ｑ、および主管部１０ｑと内部空間が連結部分Ｐ２で連結された第２副管部２２ｑを有する。この例においては、開口部ｔｈは、第１副管部２１ｑの側面に設けられている。なお、開口部ｔｈは、分岐管１００ｑのどの部分に設けられていてもよい。
【００９７】
［変形例１８］
上述した実施形態においては、分岐管１００は、主管部１０に設けられた着脱部１８を有していた。分岐管楽器１における着脱部がベル管部分ではなく、抜差管などの両端が他の管体と接続する部分となる場合にも適用できる。この場合には、分岐管が、２つの着脱部を有するようにすればよい。
【００９８】
図３８は、変形例１８における分岐管１００ｒの構造を説明する断面図である。分岐管１００ｒは、主管部１０ｒ、主管部１０ｒと内部空間が連結部分Ｐ１で連結された第１副管部２１ｒ、および主管部１０ｒと内部空間が連結部分Ｐ２で連結された第２副管部２２ｒを有する。主管部１０ｒは、実施形態における着脱部１８に対応する着脱部１８ｒ１、および着脱部１８ｒ１とは反対側の端部、すなわち下流側に設けられた着脱部１８ｒ２が設けられている。このように、元となる管楽器の着脱管が２つの着脱部を有する場合には、着脱部１８ｒ１および着脱部１８ｒ２を有する分岐管１００ｒをこの着脱管に代えて取り付けた分岐管楽器としてもよい。
なお、着脱部１８ｒ２は、着脱部１８ｒ１のように、主管部１０ｒの外管のようにして構成されるようにしてもよいし、逆に、着脱部１８ｒ１は、着脱部１８ｒ２のように、主管部１０ｒの一部として構成されるようにしてもよい。また、着脱部１８ｒ１または着脱部１８ｒ２の一方が、第１副管部２１ｒまたは第２副管部２２ｒに設けられていてもよい。
この場合には、アタッチメント部３０は、主管部１０ｒに装着されることはなく、第１副管部２１ｒまたは第２副管部２２ｒに装着されることになる。
【００９９】
［変形例１９］
上述した実施形態においては、音高調整部４１は、第１副管部２１の端部２５１Ｌ、および第２副管部２２の端部２５２Ｌが開口した状態で、特定の音階を構成する各音高で発音するように構成されていた。音高調整部４１は、第１副管部２１の管体の一部分に開口している部分があれば、端部２５１Ｌが開口せず管体の一部分が開口した状態で、特定の音階を構成する各音高で発音するように構成されていてもよい。
【０１００】
［変形例２０］
上述した実施形態においては、第１副管部２１および第２副管部２２は、管長は変化しなかったが、管長が変化するように構成されてもよい。
【０１０１】
図３９は、変形例２０における分岐管１００ｓの構造を説明する断面図である。分岐管１００ｓは、主管部１０ｓ、主管部１０ｓと連結部分Ｐ１で連結された第１副管部２１ｓ、および主管部１０ｓと連結部分Ｐ２で連結された第２副管部２２ｓを有する。この例においては、第１副管部２１ｓは、スライド管２１３ｓを有し、管長が変化するように構成されている。このように構成すると、演奏者は、スライド管２１３ｓを演奏中に操作して、共鳴特性を変化させることができる。
なお、スライド管で管長を変化させるだけでなく、迂回管と、ピストンバルブまたはロータリーバルブなどのバルブとを用いた構成により管長を変化させてもよい。また、音孔のような開口部を設けて開口部を塞ぐか塞がないかにより管長を変化させてもよい。
これらの構成を主管部１０ｓに適用してもよい。主管部１０ｓに適用した場合には、単に管長を伸ばすだけでなく、第１副管部２１ｓと第２副管部２２ｓとの距離を変化させることもできる。
また、主管部１０ｓの第２副管部２２ｓよりも下流側において管長を変化させることができる構成とすれば、アタッチメント部３０の装着によるわずかな共鳴特性の変化分（各倍音の周波数値の変化分など）を補正することもできる。
【０１０２】
［変形例２１］
上述した実施形態においては、主管部１０の断面積は、連結部分Ｐ１の上流側と下流側とで断面積が変化していなかったが、変化してもよい。この場合、変形例１５に示す場合の他、連結部分Ｐ１の上流側における主管部の外周と、下流側における主管部と第１副管部とをあわせた外周とが概ね一致した形状になるように構成されていてもよい。この場合、主管部１０の内部空間の断面積が、連結部分Ｐ１の上流側と下流側とで異なっている。この場合の例について、図４０、図４１を用いて説明する。
【０１０３】
図４０は、変形例２１における分岐管１００ｔの構造を説明する断面図である。分岐管１００ｔは、主管部１０ｔ、主管部１０ｔと連結部分Ｐ１で連結された第１副管部２１ｔ、および主管部１０ｔと連結部分Ｐ２で連結された第２副管部２２ｔを有する。この例においては、主管部１０ｔは、連結部分Ｐ１より上流側の第１主管部１０ｔ１と、下流側の第２主管部１０ｔ２とにより構成されている。第１主管部１０ｔ１は、断面形状が円形である。
【０１０４】
図４１は、図４０における矢視Ｈ−Ｈ方向から見た断面図である。図４１に示すように、第２主管部１０ｔ２と第１副管部２１ｔとは、それぞれ断面形状が半円形である。第２主管部１０ｔ２の平面部分と第１副管部２１ｔの平面部分とが接触して全体として断面形状が円形となり、第１主管部１０ｔ１の断面形状と同じ形状になっている。
なお、連結部分Ｐ１の上流側と下流側とで断面積が変化する例について説明したが、他の連結部分（連結部分Ｐ２など）においても同様に、上流側と下流側とで断面積が変化するようにしてもよい。また、複数の連結部分において、上流側と下流側とで断面積が変化するようにしてもよい。
【０１０５】
［変形例２２］
上述した実施形態においては、分岐管１００は、連結部分Ｐ１、Ｐ２の２つの連結部分を有していたが、１つの連結部分だけであってもよい。
【０１０６】
［変形例２３］
上述した実施形態においては、各管体の断面形状は円形であったが、楕円、多角形など他の形状であってもよい。また、管体の断面形状が管軸方向の位置により異なっていてもよい。なお、管体の断面積が管軸方向に沿って連続的にまたは不連続的に変化するものであってもよい。
【０１０７】
［変形例２４］
上述した実施形態において、分岐管１００を構成する各管体は、それぞれ分離可能に構成されていてもよい。また、各管体がさらに複数の管体に分離可能な構成になっていてもよい。例えば、主管部１０は、第１副管部２１および第２副管部２２と分離可能に構成されていてもよいし、主管部１０が複数の管体に分離可能に構成されていてもよい。分離可能に構成されることにより、管体の収納が容易になる。
【０１０８】
［変形例２５］
上述した実施形態または各変形例においては、各管体の管軸方向は、互いに垂直、または概ね平行の関係であったが、互いの管体の管軸のなす角は０度、９０度以外であってもよい。例えば、主管部１０の管軸方向に対して第１副管部２１の管軸方向が斜め方向に伸びていてもよい。
【０１０９】
［変形例２６］
上述した変形例４においては、副管部にアタッチメント部３０を装着する場合について説明したが、上述した変形例７に示す第１副管部２１ｈのように、主管部１０ｈの周囲を覆うように設けられた副管部からの音を演奏者側に聞こえやすくするようにアタッチメント部を装着した場合の例について説明する。
【０１１０】
図４２は、変形例２６における分岐管１００ｈａへのアタッチメント部３０Ａの取り付け態様を説明する図である。分岐管１００ｈａは、変形例７に示す分岐管１００ｈのうち、第２副管部２２ｈに分岐する第２主管部１０ｈ２を、第２副管部２２ｈへの分岐がない第２主管部１０ｈ２ａに代えて構成したものである。図４２に示すように、第２主管部１０ｈ２ａは、アタッチメント部３０Ａの挿入口にアタッチメント管３１の開口部３１Ｌｐ側から挿入され、第２取付部３６によって支持される。これにより、第１副管部２１ｈからの演奏者の息は、演奏者側に開口したアタッチメント管３１の開口部３１Ｌｐから外部へ流出することになる。
続いて、演奏者とは反対側の聴取者などに聞こえやすくするようにアタッチメント部を装着した場合の例について説明する。
【０１１１】
図４３は、変形例２６における分岐管１００ｈａへのアタッチメント部３０Ｋの取り付け態様が図４２とは異なる場合について説明する図である。この例におけるアタッチメント部３０Ｋは、図４２において説明したアタッチメント部３０Ａよりも挿入口の径が大きくなるように構成された支持部３２Ｋを有している。図４３に示すように、第２主管部１０ｈ２ａおよび第１副管部２１ｈは、アタッチメント部３０Ｋの挿入口にアタッチメント管３１の開口部３１Ｌｐとは反対側から挿入され、第２取付部３６Ｋによって支持される。これにより、第１副管部２１ｈからの演奏者の息は、演奏者とは反対側に開口したアタッチメント管３１の開口部３１Ｌｐから外部へ流出することになる。
【０１１２】
［変形例２７］
上述した実施形態においては、アタッチメント部３０は、分岐管を構成する複数の管体のうちいずれか（主管部または副管部）に装着されていたが、複数の管体に装着されてもよい。例えば、実施形態において、主管部１０と第１副管部２１とにそれぞれアタッチメント部３０が装着されてもよいし、第１副管部２１と第２副管部２２とにそれぞれアタッチメント部３０が装着されてもよい。
【符号の説明】
【０１１３】
１０００，１０００Ａ，１０００Ｂ，１０００Ｃ，１Ｙ，１Ｚ…管楽器、１，１Ａ，１Ｂ，１Ｃ…分岐管楽器、１０，１０Ａ，１０Ｂ，１０Ｃ，１０ａ，１０ｂ，１０ｃ，１０ｄ，１０ｅ，１０ｆ，１０ｇ，１０ｈ，１０ｋ，１０ｍ，１０ｎ，１０ｑ，１０ｒ，１０ｓ，１０ｔ…主管部、１０Ｃ１，１０ｈ１，１０ｋ１，１０ｍ１，１０ｔ１…第１主管部、１０Ｃ２，１０ｈ２，１０ｈ２ａ，１０ｋ２，１０ｍ２，１０ｔ２…第２主管部、１０ｈ３…支柱、１５Ｌ，１５ｎＬ…下流側端部、１５Ｕ，１８Ｕ，１８ｎＵ…上流側端部、１８，１８ｒ１，１８ｒ２，８５Ｌ…着脱部、２１，２１Ａ，２１Ｂ，２１Ｃ，２１ａ，２１ｂ，２１ｃ，２１ｄ，２１ｅ，２１ｆ，２１ｇ，２１ｈ，２１ｋ，２１ｍ，２１ｎ，２１ｑ，２１ｒ，２１ｓ，２１ｔ…第１副管部、２２，２２Ａ，２２Ｂ，２２ａ，２２ｂ，２２ｃ，２２ｅ，２２ｇ，２２ｈ，２２ｍ，２２ｎ，２２ｑ，２２ｒ，２２ｓ，２２ｔ…第２副管部、２３ｂ，２３ｃ…第３副管部、２４ｄ，２４ｆ，２４ｋ…第１副副管部、３０，３０Ａ，３０Ｂ，３０Ｃ，３０Ｄ，３０Ｅ，３０Ｆ，３０Ｇ，３０Ｈ，３０Ｊ，３０Ｋ…アタッチメント部、３１，３１Ｂ，３１Ｃ，３１Ｊ…アタッチメント管、３１Ｃｈ…孔部、３１Ｕｐ、３１Ｌｐ…開口部、３２，３２Ｂ，３２Ｋ…支持部、３３，３３Ｈ…閉塞部、３４…第１取付部、３５，３５Ｈ…吸音部、３６，３６Ｋ…第２取付部、３７，３７Ｆ，３７Ｆ１，３７Ｆ２，３７Ｆ３…管取付部、３７ｓ１，３７ｓ２…ストッパ、３７ｈ，３７Ｆｈ…流出口、４１，４１Ｃ…音高調整部、５１，５１Ｃ，５１Ｙ，５１Ｚ…マウスピース、８１…音高調整管、１００，１００Ａ，１００Ｂ，１００ａ，１００ｂ，１００ｃ，１００ｄ，１００ｅ，１００ｆ，１００ｇ，１００ｈ，１００ｈａ，１００ｋ，１００ｍ，１００ｎ，１００ｑ，１００ｒ…分岐管、２１３ｓ…スライド管、２５１Ｌ，２５１ｎＬ，２５２Ｌ，２５２ｎＬ…端部、４００Ｙ，４００Ｚ…管体、４１０，４２０…ストレート管、４５０…テーパ管
【図１】
0005857520.tif 000002
【図２】
0005857520.tif 000003
【図３】
0005857520.tif 000004
【図４】
0005857520.tif 000005
【図５】
0005857520.tif 000006
【図６】
0005857520.tif 000007
【図７】
0005857520.tif 000008
【図８】
0005857520.tif 000009
【図９】
0005857520.tif 000010
【図１０】
0005857520.tif 000011
【図１１】
0005857520.tif 000012
【図１２】
0005857520.tif 000013
【図１３】
0005857520.tif 000014
【図１４】
0005857520.tif 000015
【図１５】
0005857520.tif 000016
【図１６】
0005857520.tif 000017
【図１７】
0005857520.tif 000018
【図１８】
0005857520.tif 000019
【図１９】
0005857520.tif 000020
【図２０】
0005857520.tif 000021
【図２１】
0005857520.tif 000022
【図２２】
0005857520.tif 000023
【図２３】
0005857520.tif 000024
【図２４】
0005857520.tif 000025
【図２５】
0005857520.tif 000026
【図２６】
0005857520.tif 000027
【図２７】
0005857520.tif 000028
【図２８】
0005857520.tif 000029
【図２９】
0005857520.tif 000030
【図３０】
0005857520.tif 000031
【図３１】
0005857520.tif 000032
【図３２】
0005857520.tif 000033
【図３３】
0005857520.tif 000034
【図３４】
0005857520.tif 000035
【図３５】
0005857520.tif 000036
【図３６】
0005857520.tif 000037
【図３７】
0005857520.tif 000038
【図３８】
0005857520.tif 000039
【図３９】
0005857520.tif 000040
【図４０】
0005857520.tif 000041
【図４１】
0005857520.tif 000042
【図４２】
0005857520.tif 000043
【図４３】
0005857520.tif 000044
【図４４】
0005857520.tif 000045
【図４５】
0005857520.tif 000046